(57)【特許請求の範囲】
【請求項１】
第１面および第２面を有するパッティングプレートと、
前記パッティングプレートの第１面に、ゴルフボールを置くためのボール配置位置を含んで形成されたボール配置部と、
ゴルフボールの通過経路を制限するための少なくとも一組のゲートと、
前記パッティングプレートの第１面に前記ボール配置部から所定の距離を隔てて形成された、前記ゲートを配置するためのゲート配置部と、を有し、
前記ゲート配置部は、
前記ボール配置位置から１８ｃｍ以上２５ｃｍ以内に前記ゲートが配置されるように前記パッティングプレートの第１面に形成され、
ゲートは、
高さが、ゴルフボールの半径より０．５〜３．７ｍｍ高い
ゴルフパター練習装置。
【請求項２】
前記ボール配置位置は、
ボール配置穴として形成され、当該ボール配置穴は直径が、ゴルフボールの半径の２３％〜３７％である
請求項１記載のゴルフパター練習装置。
【請求項３】
前記ゲート配置部は、
ゲートを着脱自在で、取り付ける２つのゲートの間隔が異なる複数組のゲート取り付け部が形成され、
前記複数のゲート取り付け部は、
ゲートの間隔が狭い方が、前記ボール配置部に近い側に形成されている
請求項１または２記載のゴルフパター練習装置。
【請求項４】
前記ゲートは、
高さ方向の重心が中心より下にあり、ケーブルで前記パッティングプレートに固定されている
請求項１から３のいずれか一に記載のゴルフパター練習装置。
【請求項５】
前記パッティングプレートは、
少なくとも前記ボール配置部が形成されている部分の幅が、ゴルフボールの直径と、−５ｍｍ〜５ｍｍ分異なる
請求項１から４のいずれか一に記載のゴルフパター練習装置。
【請求項６】
前記パッティングプレートは、
前記第２面の摩擦係数が前記第１面の摩擦係数より大きい
請求項１から５のいずれか一に記載のゴルフパター練習装置。
【請求項７】
前記パッティングプレートは、
第１の幅を有し、前記ボール配置部が形成された第１のプレート部と、
前記第１の幅より広い第２の幅を有し、前記ゲート配置部が形成された第２のプレート部と、を含み、
前記第１のプレート部と第２のプレート部は、幅方向の中央を中心として略対称に形成され、
前記第１のプレート部の前記第２のプレート部との接続端部と反対側の端部面は、当該パッティングプレートの長手方向中央線方向に直交するように形成されている
請求項１から６のいずれか一に記載のゴルフパター練習装置。
【発明の詳細な説明】
【技術分野】
【０００１】
本発明は、ゴルフのパター技術向上のためのゴルフパター練習装置に関するものである。
【背景技術】
【０００２】
特許文献１には、ベースプレートと、その上面に直立に着脱可能に取り付けられる複数のピンと、からなる「ゴルフパッティング練習器具」が記載されている。
【０００３】
このベースプレートは、矩形の平板状に形成され、その中央部にゴルフボールを置くための凹部が形成されており、長手方向において凹部の両側に複数のピンを受け入れるための複数の開口が２列形成されている。
そして、ゲートとしての複数のピンが、開口に差し込まれてベースプレート上に２列取り付けられて、ゴルフパターヘッドの経路が形成される。
各ピンは、磁石と磁性部材による傾斜・復帰機構を有している。各ピンは、この傾斜・復帰機構により、パターヘッドに打たれたとき、パターヘッドの進路に影響を与えることなく、傾斜位置まで傾斜し、打たれた後、自動的に直立位置に復帰する。
【０００４】
また、パッティング練習器具として、ペルツのパッティング練習器具（Putting Tutor  Dave Pelz Learning Aid)という商品が知られている。
この練習器具は、金属ボールをゴルフボールの通過経路制限用ゲートとして用いている。
【先行技術文献】
【特許文献】
【０００５】
【特許文献１】特表２００９−５０８６２４号公報
【発明の概要】
【発明が解決しようとする課題】
【０００６】
ところで、パター技術において、思った方向へボールを正しく打ち出すことが基本的な練習となる。
パターの場合のボールの打ち出し角度に影響する要因の約８０％は、ボールヒット時のクラブヘッドの向きの方向に依存する。
そのため、セットアップした所に正確にパターヘッドが戻ってきてボールヒットするための練習としては、置いたボールの先にゲートを設けて、そのゲートに接触しないようにパッティングを行う練習が重要となっている。
【０００７】
しかしながら、特許文献１に記載された「ゴルフパッティング練習器具」においては、プレート上に磁石によるピンが、パターヘッドの通過経路を制限するためのゲートとして用いられている。
すなわち、ピンが、ボールに対する通過経路制限のためのゲートとして用いられず、あくまでもパターヘッドの通過経路を制限するためのゲートとして用いられることから、セットアップした所に正確にパターヘッドが戻ってきてボールヒットするための質の高い練習を行うには限界がある。
【０００８】
また、ペルツのパッティング練習器具では、金属ボールがボールに対する通過経路制限のためのゲートとして用いられているが、ゴルフボールを置く位置からゲートの配置位置までの距離や、ゲートの高さについては十分に考慮されていないことから、以下の不利益がある。
【０００９】
実際の芝の上にゴルフボールを置くと、ボールは少し芝に沈むため、この沈んだ分ボールに抵抗がかかることを防ぐ目的で、パターには少しロフト（パターヘッドの向きが少し上向き）が付けられている。
そのため、ボールヒット直後は、ボールはいったん空中に浮き、その後最初のバウンドをしてから転がり始める。
しかし、ペルツのパッティング練習器具では、ゴルフボールを置く位置からゲートの配置位置までの距離や、ゲートの高さに所定の規定がないことから、傾斜や打ち出されたボールのバウンドの影響を受け易くなり、精度の高い練習を実現することが困難となる。
ペルツのパッティング練習器具では、上述したように、金属ボールをゲートとしていて、ボールの半径よりも低い位置にゲートがあることになり、ボールのバウンドの影響により、ゲートの実質的幅が変化してしまう。
また、ペルツのパッティング練習器具では、幅の狭いゲート程、ボールを置く位置から遠くにあるため、打ち出し精度に対して傾斜の影響が大きい位置に厳しいゲートが設置されることになるため、打ち出し精度の評価が行いにくい。
【００１０】
本発明は、屋内のマットなど構造物に穴をあけられない場所において、傾斜や打ち出されたボールのバウンドの影響を受け難く、精度の高い練習を行うことが可能なゴルフパター練習装置を提供することにある。
【課題を解決するための手段】
【００１１】
本発明の観点のゴルフパター練習装置は、第１面および第２面を有するパッティングプレートと、前記パッティングプレートの第１面に、ゴルフボールを置くためのボール配置位置を含んで形成されたボール配置部と、ゴルフボールの通過経路を制限するための少なくとも一組のゲートと、前記パッティングプレートの第１面に前記ボール配置部から所定の距離を隔てて形成された、前記ゲートを配置するためのゲート配置部と、を有し、前記ゲート配置部は、前記ボール配置位置から１８ｃｍ以上２５ｃｍ以内に前記ゲートが配置されるように前記パッティングプレートの第１面に形成され、ゲートは、高さが、ゴルフボールの半径より０．５ｍｍ〜３．０ｍｍ（ボール半径の２％〜１７％）高い。
また、好適には、前記ボール配置穴は、直径が、ゴルフボールの半径の２３％〜３７％（５ｍｍ〜８ｍｍ）である。
【発明の効果】
【００１２】
本発明によれば、屋内のマットなど構造物に穴をあけられない場所において、傾斜や打ち出されたボールのバウンドの影響を受け難く、精度の高い練習を行うことができる。
【図面の簡単な説明】
【００１３】
【図１】本発明の第１の実施形態に係るゴルフパター練習装置の構成例を示す上面図である。
【図２】本発明の第１の実施形態に係るゴルフパター練習装置の構成例を示す側面図である。
【図３】本実施形態に係るゴルフパター練習装置のゲートの構成例を示す図である。
【図４】本実施形態に係るゴルフパター練習装置のパッティングプレート、並びにゲートプレートにおけるボール配置部、ゲート配置部の各部の寸法の一例を示す図である。
【図５】本実施形態に係るゴルフパター練習装置のゲートの各部の寸法の一例を示す図である。
【図６】本発明の第２の実施形態に係るゴルフパター練習装置の構成例を示す側面図である。
【発明を実施するための形態】
【００１４】
以下、本発明の実施形態を図面に関連付けて説明する。
【００１５】
図１および図２は、本発明の第１の実施形態に係るゴルフパター練習装置の構成例を示す図であって、図１は上面図、図２は側面図である。
また、図３は、本実施形態に係るゴルフパター練習装置のゲートの構成例を示す図である。図３（Ａ）はゲートの底面図、図３（Ｂ）はゲートの側面図である。
また、図４は、本実施形態に係るゴルフパター練習装置のパッティングプレート、並びにゲートプレートにおけるボール配置部、ゲート配置部の各部の寸法の一例を示す図である。
図５は、本実施形態に係るゴルフパター練習装置のゲートの各部の寸法の一例を示す図である。
【００１６】
本実施形態に係るゴルフパター練習装置１０は、パッティングプレート２０、ボール配置部３０、ゲート配置部４０、およびゲート５０を含んで構成されている。
また、図１および図２において、ＧＢＬはゴルフボールを示している。
【００１７】
パッティングプレート２０は、実際にパッティング練習が行われる上面である第１面Ｓ１と、床や地面等に置かれる第１面Ｓ１の反転側の第２面Ｓ２を有する平板状に形成されている。
パッティングプレート２０は、アクリル板などのプラスチックまたは金属などの部材により形成される。
【００１８】
パッティングプレート２０は、第１の幅Ｗ１を有し、ボール配置部３０が形成された第１のプレート部２１と、第１の幅Ｗ１より広い第２の幅Ｗ２を有し、ゲート配置部４０が形成された第２のプレート部２２と、を含む、いわゆるＴ字形状に形成されている。
たとえば、第１のプレート部２１の第１の幅Ｗ１は４５ｍｍに選定され、第２のプレート部２２の第２の幅Ｗ２は１００ｍｍに選定される（図４参照）。
【００１９】
第１のプレート部２１と第２のプレート部２２は、幅方向（図１中の上下方向）の中央を中心として略対称に形成されている。
第１のプレート部２１は、その第２のプレート部２２と連接される端部２１１と反対側の端部２１２は、パッティングプレート２０の長手方向の図１中に示す中央線（センターライン）ＬＣＴの方向に対して直交するように形成されている。
すなわち、第１のプレート部２１の端部２１２の端面は、理想的なパターの打ち出し方向に直交するように形成され、これにより、実際にパッティングを行う前に、図示しないパターヘッドのフェース合わせを行うことが可能となっている。
【００２０】
ゴルフボールＧＢＬの直径Ｒが、たとえば標準的な約４３ｍｍ（具体的には４２．６７ｍｍ）である場合、第１のプレート部２１の少なくともボール配置部３０が形成されている部分の幅Ｗ３１（本実施形態では第１の幅Ｗ１）は、ゴルフボールＧＢＬの直径Ｒと、５ｍｍ以下程度だけ異なる。
すなわち、本実施形態では、第１のプレート部２１の少なくともボール配置部３０が形成されている部分の幅Ｗ３１（本実施形態では第１の幅Ｗ１）は、ゴルフボールＧＢＬの直径Ｒより０ｍｍ〜５ｍｍ程度だけ広いか狭い。
【００２１】
ボール配置部３０は、パッティングプレート２０の第１のプレート部２１の第１面Ｓ１に、ゴルフボールＧＢＬを置くためのボール配置穴３１を含んで形成されている。
ボール配置穴３１は、その直径Ｒ３１がゴルフボールＧＢＬの半径ｒの２３％〜３７％（５ｍｍ〜８ｍｍ）となるように形成されている。その理由は後で詳述する。
ゴルフボールＧＢＬの直径Ｒが、たとえば標準的な約４３ｍｍ（具体的には４２．６７ｍｍ）である場合、ボール配置穴３１の直径は、５ｍｍ〜８ｍｍである。
ボール配置穴３１は、その中心がパッティングプレート２０の長手方向の図１中に示す中央線（センターライン）ＬＣＴ上にあるように形成されている。
また、本実施形態においては、ボール配置穴３１は、その中心が第１のプレート部２１の端部２１２からたとえば６２．５ｍｍの位置にあるように形成されている（図４参照）。
【００２２】
本実施形態においては、このボール配置穴３１は、第１のプレート部２１の第１面Ｓ１から第２面Ｓ２に貫通する貫通孔として形成されている。
ただし、ボール配置穴３１は、第１のプレート部２１の第１面Ｓ１から所定の深さがある、いわゆる凹部として形成されていてもよい。
【００２３】
ゲート配置部４０は、ゲート５０を配置するために、パッティングプレート２０の第１のプレート部２１の第１面Ｓ１に形成されたボール配置部３０から所定の距離を隔てて、第２のプレート部２２に形成されている。
ゲート配置部４０は、第１のプレート部２１に形成されたボール配置穴３１の中心から１８ｃｍ以上で２５ｃｍ以内にゲート５０が配置されるようにパッティングプレートの第２のプレート部２２の第１面Ｓ１に形成されている。
【００２４】
ゲート配置部４０は、ゲート５０を着脱自在で、取り付ける２つのゲート５１，５２の間隔が異なる複数組（本実施形態では３組）の第１のゲート取り付け部４１、第２のゲート取り付け部４２、第３のゲート取り付け部４３が形成されている。
【００２５】
第１のゲート取り付け部４１は、パッティングプレート２０の長手方向の図１中に示す中央線（センターライン）ＬＣＴを中心として、第２のプレート部２２において中央線（センターライン）ＬＣＴに直交する方向に対称に形成された２つの取り付け穴４１１，４１２を有する。
取り付け穴４１１，４１２は、たとえば直径が５ｍｍに選定されており、その中心は中央線（センターライン）ＬＣＴから３３．０ｍｍの位置にあり、かつ、第２のプレート部２２の端部２２１（パッティングプレート２０の先端部）から３７．５ｍｍの位置にあるように形成されている（図４参照）。
第１のゲート取り付け部４１に２つのゲートを取り付けると、ゴルフボールの通過経路を制限するゲートの間隔（ゲート幅）は４６ｍｍ程度となる。
【００２６】
第２のゲート取り付け部４２は、パッティングプレート２０の長手方向の図１中に示す中央線（センターライン）ＬＣＴを中心として、第２のプレート部２２において中央線（センターライン）ＬＣＴに直交する方向に対称に形成された２つの取り付け穴４２１，４２２を有する。
取り付け穴４２１，４２２は、たとえば直径が５ｍｍに選定されており、その中心は中央線（センターライン）ＬＣＴから３４．５ｍｍの位置にあり、かつ、第２のプレート部２２の端部２２１（パッティングプレート２０の先端部）から２５．０ｍｍの位置にあるように形成されている（図４参照）。
第２のゲート取り付け部４２に２つのゲートを取り付けると、ゴルフボールの通過経路を制限するゲートの間隔（ゲート幅）は４９ｍｍ程度となる。
【００２７】
第３のゲート取り付け部４３は、パッティングプレート２０の長手方向の図１中に示す中央線（センターライン）ＬＣＴを中心として、第２のプレート部２２において中央線（センターライン）ＬＣＴに直交する方向に対称に形成された２つの取り付け穴４３１，４３２を有する。
取り付け穴４３１，４３２は、たとえば直径が５ｍｍに選定されており、その中心は中央線ＬＣＴから３７．５ｍｍの位置にあり、かつ、第２のプレート部２２の端部２２１（パッティングプレート２０の先端部）から１２．５ｍｍの位置にあるように形成されている（図４参照）。
第３のゲート取り付け部４３に２つのゲートを取り付けると、ゴルフボールの通過経路を制限するゲートの間隔（ゲート幅）は５５ｍｍ程度となる。
【００２８】
このように、第１のゲート取り付け部４１、第２のゲート取り付け部４２、第３のゲート取り付け部４３は、ゲートの間隔が狭い方が、ボール配置部３０に近い側に形成されている。
その理由は後述する。
【００２９】
本実施形態において、ゴルフボールの通過経路を制限するためのゲート５０は、一組のゲート５１，５２として形成されている。
各ゲート５０（５１，５２）は、円柱状または円筒状に形成され、底面５０ａにゲート配置部４０のゲート取り付け部４１，４２，４３の取り付け穴４１１，４１２、４２１，４２２、４３１，４３２に容易に挿脱（着脱）可能な先端部が半球状に形成された挿入子５０１が設けられている。
ゲート５０は、その直径Ｒ５１は２０ｍｍに設定される（図５参照）。
【００３０】
また、ゲート５０の側面の高さ方向のほぼ中央部に、可撓性のケーブル、たとえば紐６０の取り付け部５０２が形成されている。
本実施形態において、パッティングプレート２０の第２のプレート部２２には、第１のプレート部２１と連接する端部２２２および第２のプレート部２２の側部の近傍に紐６０を取り付け固定するための紐取り付け部２２３，２２４が形成されている。たとえばこの紐取り付け部２２３，２２４は、凹部等の穴としてあるいは貫通孔として形成される。
ゲート５０は、紐６０の一端部が取り付け部５０２に取り付けられ、紐６０の他端部が第２のプレート部２２の紐取り付け部２２３，２２４に接着剤等により固定される。
紐６０の長さは、他端部を紐取り付け部２２３，２２４に固定した状態で、ゲート５０を、最も遠い位置に形成された第３のゲート取り付け部４３の取り付け穴４３１，４３２に無理なく挿入できる長さに設定される。
本実施形態では、紐６０の長さは、６０．０ｍｍに設定されている（図５参照）。
【００３１】
ゲート５０（５１，５２）は、ゲート配置部４０に取り付けたときに、第２のプレート部２２の高さが、ゴルフボールＧＢＬの半径ｒより０．５ｍｍ〜３．７ｍｍ（ボール半径の２％〜１７％）高くなるように形成されている。
ゴルフボールＧＢＬの直径Ｒが、たとえば標準的な約４３ｍｍ（具体的には４２．６７ｍｍ）である場合、ゲート５０の高さは、ゴルフボールの半径ｒである約２１．５ｍｍ（具体的には２１．３４ｍｍ）より０．５ｍｍ〜３．７ｍｍ高い。すなわち、ゲート５０の第１面Ｓ１からの高さは２１．８ｍｍ〜２５．０ｍｍに設定される。
本実施形態では、ゲート５０の高さは、２２．０ｍｍに設定されている（図５参照）。
【００３２】
また、本実施形態のゲート５０は、高さ方向の重心が中心より下にあり、上述したように、紐６０でパッティングプレート２０の第２のプレート部２２に固定されている。
本実施形態のゲートは、高さ方向の重心が中心より下にあるように、底面５０ａから７ｍｍ程度の第１の領域部５１１は金属等の重い部材により形成され、残りの１５ｍｍ程度の第２の領域部５１２は、第１の領域部５１１の部材より軽い、たとえば木材により形成される。
【００３３】
以上の構成を有するゴルフパター練習装置１０は、屋内のマットなど構造物に穴をあけられない場所において、傾斜や打ち出されたボールのバウンドの影響を受けないゴルフパター練習装置である。
ゴルフパター練習装置１０は、ゴルフボールＧＢＬの配置位置から２５ｃｍ以内（１８ｃｍ以上）の位置に、高さがボールの半径＋０．５ｍｍ〜３．０ｍｍ(ボール半径の２〜１７％）のゲートを設置可能である。
さらに、ゴルフパター練習装置１０は、ゴルフボールＧＢＬを置くためのボール配置穴３１をパッティングプレート２０に形成し、その穴の直径は５ｍｍ〜８ｍｍ(ボール直径の１１〜１９％）である。
そして、ゴルフパター練習装置１０は、パッティングプレート２０の少なくとも一部（ボール配置部３０）がゴルフボールＧＢＬの直径よりも１ｍｍ〜５ｍｍ(ボール半径の５〜２５％）異なる幅である。
このような特徴を有するゴルフパター練習装置１０について、特徴的構成を採用した理由や効果等を含め、下記（１）〜（４）においてさらに説明する。
【００３４】
（１）：ゴルフパター練習装置１０は、ゴルフボールＧＢＬの配置位置から２５ｃｍ以内（１８ｃｍ以上）の位置に、高さがボールの半径＋０．５ｍｍ〜３．７ｍｍ(ボール半径の２〜１７％）のゲートを設置可能である。
さらに、ゴルフパター練習装置１０は、ゴルフボールＧＢＬを置くためのボール配置穴３１をパッティングプレート２０に形成し、その穴の直径は５ｍｍ〜８ｍｍ(ボール半径の２３〜３７％）である。
【００３５】
前述したように、パター技術において、思った方向へボールを正しく打ち出す事が基本的な練習となる。
パターの場合のボールの打ち出し角度に影響する要因の約８０％は、ボールヒット時のクラブヘッドの向きの方向に依存する。
そのため、セットアップした所に正確にパターヘッドが戻ってきてボールヒットするための練習としては、置いたボールの先にゲートを設けて、そのゲートに接触しないようにパッティングを行う練習が重要となっている。
【００３６】
実際の芝の上にボールを置くと、ボールは少し芝に沈むため、この沈んだ分ボールに抵抗がかかることを防ぐ目的で、パターには少しロフト（パターヘッドの向きが少し上向き）が付けられている。
そのため、ボールヒット直後はボールはいったん空中に浮き、その後３ｃｍ〜１０ｃｍの間で最初のバウンドをしてから転がり始める。
その結果、全体としては２５ｃｍ程度、接地抵抗が低い状態で飛び出すことがわかった。よって、ボールから２５ｃｍ以内にゲート５０を配置することで、傾斜の影響を受けにくいことになる。
また、ゴルフボールＧＢＬの直径は約４３ｍｍであるが、ボールヒットから２５ｃｍ以内では、ボールが０．５ｍｍ以下程度でバウンドしている場合がある。長い距離を打とうとして強く打つほどボールが空中を浮く距離が長くて高くなるため、バウンドが１回ではなく複数回発生することがある。
ということは、ゲートとしては、ゴルフボールＧＢＬの半径ｒよりも高くなければ、バウンドの影響を受けることでゲートの幅に誤差が生じることになる。
低い方はボールのバウンドによる影響を相殺するための規定となっている。
上限の高さ以下でいろいろな高さとプレートの素材を変えて利用実験を行い、左右のゲートに衝突する確率がバターヘッドがゲートに衝突しない最大の高さの場合と同じと見なされる範囲の高さを算出した結果となっている。
【００３７】
さらに、ゲートは、２５ｃｍ以内でパターヘッドに衝突しない高さでなければならない。さまざまなパターやスイングする人の身長において、正しい打ち方を行った場合に、パターヘッドに衝突しない高さに関して測定した結果、その値はボールから１８ｃｍでは２５ｍｍ以下となっている。
逆に、２５ｍｍの高さに設定したゲートにパターヘッドが衝突するということは、打ち方に問題があることになる。
【００３８】
本実施形態においては、ゴルフボールＧＢＬをゲートのセンターライン上に正確に置くために、ボールを置くプレートにボール配置穴３１を形成している。
ただし、このボール配置穴３１が大きすぎると、ボールが飛び出す場合に穴との摩擦が大きすぎて通常のパッティングの場合との距離感や、ボールの転がりが変わってしまい、練習には適さなくなる。
また、ゴルフボールＧＢＬにはディンプルがあるため、ボールを置くための穴３１が小さすぎると、ボールが安定して置けなくなる。
確かに穴がなくて平であってもボールはディンプルを使えば静止させることが可能であるが、ゴルフボールを正しい位置に置くだけで大変な技量と苦労が伴うことになり、練習効率を低下させてしまう。
【００３９】
構造的な計算以外に、実際に練習に用いて穴の抵抗が問題とならず、ボールを置くことも容易な穴の大きさを決めることができた。
半径２１．３４ｍｍのボールを用いて様々な直径の穴で利用実験を行い、置きやすさに問題がないと判断できる大きさの範囲が決まった。
穴の径が小さすぎる場合は、ボールを置くためにストレスを感じる。
穴の径が大きすぎる場合は、ボールが打ち出される場合に、突っかかるような抵抗を感じてしまう。
その穴の直径はボール半径が２１．３４ｍｍの場合は５ｍｍ〜８ｍｍ(ボール半径の２３〜３４％）である。
【００４０】
屋内パター練習用マットには、ピンなどを直接さすことができないため、ピンが安定して接地可能な構造が必要となる。
上記に示したように、本実施形態においては、実使用における測定結果から、最適なパターゲートの構造と寸法を規定したゴルフパター練習装置１０を提供している。
【００４１】
［効果］
上記した構成によれば、屋内のマットなど構造物に穴をあけられない場所において、傾斜や打ち出されたボールのバウンドの影響を受けにくいゴルフパター練習装置を提供することが可能となる。
【００４２】
（２）：ゴルフパター練習装置１０は、上記（１）において、第１のゲート取り付け部４１、第２のゲート取り付け部４２、第３のゲート取り付け部４３は、ゲートの間隔が狭い方が、ボール配置部３０に近い側に形成されている。
【００４３】
これは、ゲート５０がボール位置より遠くなるほど傾斜の影響が大きくなるため、狭いゲートほど傾斜の影響を少なくしたいためである。
【００４４】
［効果］
ゲートの間隔が狭い方が、ボール配置部３０に近い側に形成されている構成によれば、より厳しい精度が必要な狭いゲートほど、傾斜の影響を小さくできる。
【００４５】
（３）：ゴルフパター練習装置１０は、（１）において、ゲートの高さ方向の重心が中心より下にあり、ゲートが可撓性のケーブル一例である紐６０でパッティングプレートに固定されている。
【００４６】
これは、ゴルフボールＧＢＬがゲート５０に接触したときに、接触したことがわかりやすく、接触によって状態が変化した場合に、元の状態に簡単にもどせるほど、練習効率が上がるからである。
【００４７】
［効果］
ゲートの高さ方向の重心が中心より下にあり、ゲートが紐でパッティングプレートに固定されている構成によれば、ゲートを配置する場合に、ゲート取り付け穴（配置穴）に挿入しやすく、ボールがゲートに接しても、元の位置に戻りやすいため、練習効率が向上する。
また、強くゲートにボールが当たっても、ゲートが離れにくいため、拾いやすい。また、ゲートがパッティングプレート２０から分離されないため、持ち運びに便利である。
【００４８】
（４）：ゴルフパター練習装置１０は、（１）において、パッティングプレートのボールを置く部分であるボール配置部３０の幅がゴルフボールＧＢＬの直径Ｒの−５ｍｍ〜５ｍｍの幅である。
【００４９】
これは、左右の目線のラインに対して、ボールがそのラインの真下にあるようにしたいためである。
【００５０】
通常ボールは両目のラインの真下がよいとされている。ほぼ水平な場所であれば、パッティングプレート２０のボールを置く部分がゴルフボールＧＢＬの直径の−５ｍｍ〜５ｍｍの幅であることで、ボールをパッティングプレート２０のボールを置く部分であるボール配置部３０に置いた場合に、ボールよりも少しだけパッティングプレートまたは、パッティングプレートよりもボールがはみ出すため、そのはみ出し量を手前と向こう側で等しく合わせることがボールと目の位置を合わせるための指標となるため、練習効果が向上する。
実際の利用実験により快適に目の位置が判定できると言える範囲が決まった。
【００５１】
図６は、本発明の第２の実施形態に係るゴルフパター練習装置の構成例を示す側面図である。
【００５２】
本第２の実施形態に係るゴルフパター練習装置１０Ａが第１の実施形態に係るゴルフパター練習装置１０と異なる点は次の通りである。
すなわち、本第１の実施形態に係るゴルフパター練習装置１０Ａは、パッティングプレート２０Ａの第１面（上面）Ｓ１と第２面（下面）Ｓ２Ａの摩擦抵抗が異なる。
より具体的には、パッティングプレート２０において、第２面Ｓ２Ａの摩擦係数が第１面Ｓ１の摩擦係数より大きい。
【００５３】
パッティングプレート２０の第１面Ｓ１と第２面Ｓ２の摩擦抵抗が同じような場合、ボールがゲートに接触すると、ゴルフボールＧＢＬを置くボール配置穴３１とボールとの摩擦抵抗のためにパッティングプレート２０がゲート方向にずれやすい。
そこで、パッティングプレート２０Ａの地面や床と接する第２面（下面）Ｓ２Ａの摩擦抵抗を第１面（上面）Ｓ１大きくすることで、パッティングプレートがズレにくくなるため、ズレを直す手間が少なくなり、練習効率が向上する。
【００５４】
なお、パッティングプレートは、前述したように、アクリル板などのプラスチックまたは金属により形成されるが、摩擦係数を異なるようにするために、第２面Ｓ２側にアクリル等より摩擦係数の大きい部材を貼り付ける、あるいは塗布する方法等を採用可能である。
摩擦係数の大きい部材としては、ラバーや織布等を採用することも可能である。
【符号の説明】
【００５５】
１０，１０Ａ・・・ゴルフパター練習装置、２０，２０Ａ・・・パッティングプレート、２１・・・第１のプレート部、２２・・・第２のプレート部、３０・・・ボール配置部、３１・・・ボール配置穴、４０・・・ゲート配置部、４１，４２，４３・・・ゲート取り付け部、５０，５１，５２・・・ゲート、６０・・・紐、ＧＢＬ・・・ゴルフボール、Ｓ１・・・第１面、Ｓ２・・・第２面。
【図１】
0005341153.tif 000002
【図２】
0005341153.tif 000003
【図３】
0005341153.tif 000004
【図４】
0005341153.tif 000005
【図５】
0005341153.tif 000006
【図６】
0005341153.tif 000007